(57)【特許請求の範囲】
【請求項１】
ノズル部材に空気を送り出す口筒部を有する伸縮可能な容器本体と、筒状部の内側に容器本体の伸長を許容する凹部底壁が形成されたベース部材と、容器本体の肩部を保持する天壁からベース部材の筒状部に回転可能に支持される外筒壁とともに内周壁が垂下する回転部材と、容器本体の下端部を保持する底壁を有して回転部材の内筒壁と外筒壁の間を上下に移動可能なスリーブ部材と、ベース部材の凹部底壁とスリーブ部材の底壁との間に配置されてスリーブ部材を上方に向かって付勢する弾性部材と、ベース部材の筒状部とスリーブ部材との間を回転可能に保持するボール部材と、ノズル部材及び容器本体の少なくともいずれか一方に収納されるとともに成分が気化する気化要素とを備え、
ベース部材の筒状部内周面に、ボール部材を載置する段部を設けるとともに、
スリーブ部材の外周面に、ボール部材を起点としたスリーブ部材の回転を生起させる周溝を設け、
当該周溝は、スリーブ部材を弾性部材の付勢力に抗して下降させるための傾斜溝と、この傾斜溝に通じてスリーブ部材を弾性部材の付勢力によって上昇させるための溝からなり、
ベース部材に対して回転部材を回転させることで、容器本体の伸長によって吸引された空気を当該容器本体の圧縮によってノズル部材に送り出すようにしたことを特徴とする噴射容器。
【請求項２】
請求項１において、ノズル部材に、その押下げによって容器本体の内側を外界に通じさせる一方、その押下げの解除により外気の導入を阻止する逆止弁を設けたことを特徴とする噴射容器。
【発明の詳細な説明】
【技術分野】
【０００１】
本発明は、ノズルを通して内容物を噴射させる噴射容器に関するものである。
【背景技術】
【０００２】
従来の噴射容器には、内容液が充填された容器本体に回転ヘッドを設けるとともに、この回転ヘッドに対して昇降可能な摺動部材の外周面に周溝を形成し、この周溝を容器本体に載置したボール部材で案内することで、摺動部材から垂下するピストンを上下動させて容器本体の内容液を、ノズルを通して噴霧させるものがある（例えば、特許文献１参照）。
【先行技術文献】
【特許文献】
【０００３】
【特許文献１】特公昭５４−２５２４５号公報
【発明の概要】
【発明が解決しようとする課題】
【０００４】
しかしながら、従来の噴射容器は、直接内容液を加圧して噴霧するため、噴射範囲が限定されたものとなり、広範囲に噴射することが困難である。また、液体を直接噴霧する場合、その自重によって落下して周囲に付着してしまうことがある。
【０００５】
本発明の目的とするところは、内容物を広範囲に噴射することができるとともに、自然落下によって周囲に付着することがない、新規な噴射容器を提供することにある。
【課題を解決するための手段】
【０００６】
本発明は、ノズル部材に空気を送り出す口筒部を有する伸縮可能な容器本体と、筒状部の内側に容器本体の伸長を許容する凹部底壁が形成されたベース部材と、容器本体の肩部を保持する天壁からベース部材の筒状部に回転可能に支持される外筒壁とともに内周壁が垂下する回転部材と、容器本体の下端部を保持する底壁を有して回転部材の内筒壁と外筒壁の間を上下に移動可能なスリーブ部材と、ベース部材の凹部底壁とスリーブ部材の底壁との間に配置されてスリーブ部材を上方に向かって付勢する弾性部材と、ベース部材の筒状部とスリーブ部材との間を回転可能に保持するボール部材と、ノズル部材及び容器本体の少なくともいずれか一方に収納されるとともに成分が気化する気化要素とを備え、
ベース部材の筒状部内周面に、ボール部材を載置する段部を設けるとともに、
スリーブ部材の外周面に、ボール部材を起点としたスリーブ部材の回転を生起させる周溝を設け、
当該周溝は、スリーブ部材を弾性部材の付勢力に抗して下降させるための傾斜溝と、この傾斜溝に通じてスリーブ部材を弾性部材の付勢力によって上昇させるための溝からなり、
ベース部材に対して回転部材を回転させることで、容器本体の伸長によって吸引された空気を当該容器本体の圧縮によってノズル部材に送り出すようにしたことを特徴とするものである。
【０００７】
伸縮可能な容器本体としては、蛇腹状の胴部を有する蛇腹容器や、薄肉に形成された袋状の容器等が挙げられる。また、気化要素としては、例えば、織物や不織物、多孔質材等に液体を浸み込ませた含浸材や、固体から直接気化する昇華物質が挙げられる。
【０００８】
また、本発明では、ノズル部材に、その押下げによって容器本体の内側を外界に通じさせる一方、その押下げの解除により外気の導入を阻止する逆止弁を設けることが好ましい。
【発明の効果】
【０００９】
本発明では、ベース部材に対して回転部材を回転させれば、スリーブ部材の下降に追従して容器本体も伸長する。そして、回転部材を更に回転させれば、スリーブ部材が弾性部材の付勢力によって上昇することから、容器本体もスリーブ部材の上昇に同期して収縮する。即ち、ベース部材に対して回転部材を回転させることにより、スリーブ部材がボール部材を始点としてその周溝に沿って上下動するのに同期して容器本体も伸縮する。このため、気化要素をノズル部材又は容器本体に収納しておけば、気化した成分は、容器本体の伸縮によって送り出された空気とともにノズル部材を通して噴射することができる。この場合、気化した成分をそのまま噴射することから、噴射に加えて、例えば、室内の気流に乗せることで、その成分を室内の広範囲に拡散させることができる。また、噴射された成分は気化していることから、内容物の自然落下によって周囲に付着することがない。
【００１０】
従って、本発明によれば、内容物を広範囲に噴射することができるとともに、自然落下によって周囲に付着することがない。また、空気の送り出しに、伸縮可能な容器本体を用いたことから、大容量の噴射から小容量の噴射まで対応させることができる。
【図面の簡単な説明】
【００１１】
【図１】本発明である、噴射容器の一形態である、芳香剤用噴射容器の初期状態又は噴射状態を示す部分断面図である。
【図２】同形態の噴射直前状態を示す部分断面図である。
【図３】（ａ）は、同形態に係る、スリーブ部材を模式的に示す斜視図であり、（ｂ）は、ノズル部材の一形態を示す要部断面図である。
【図４】同形態に係る、容器本体をスリーブ部材とともに模式的に示す斜視図であって、（ａ）は、容器本体が収縮した状態、（ｂ）は、容器本体が伸長した状態を示す。
【図５】同形態に係る、ノズル部材の他の形態を示す要部断面図である。
【発明を実施するための形態】
【００１２】
以下、図面を参照して、本発明の一形態である、芳香剤用の噴射容器１を詳細に説明する。
【００１３】
図１中、符号２は、ノズル部材３に空気を送り出す伸縮可能な容器本体である。容器本体２は、空気を送り出す口筒部２ａを有し、肩部２ｂを介して、伸縮可能な蛇腹状の胴部２ｃに繋がる。胴部２ｃは、噴射容器軸線Ｏ周り（周方向）に延在する環状溝部２ｅを介して底部２ｄに繋がる。容器本体２は、例えば、可撓性を有する合成樹脂で一体に成形することができる。
【００１４】
ノズル部材３は、キャップＣを介して口筒部２ａに固定される。キャップＣは、口筒部２ａを密封するとともに、逆止弁Ｖ1が設けられている。逆止弁Ｖ1は、容器本体２の内部空間Ｓ1に外気を導入することを許容する一方、内部空間Ｓ1からの空気の排出を阻止する。
【００１５】
符号４は、ベース部材である。ベース部材４は、筒状部４ａの内側下端部に底壁４ｂを有し、容器本体２の伸長を許容する凹部Ｄが形成されている。凹部Ｄには、周方向に延在する環状の段差４ｃが設けられている。これにより、筒状部４ａと段差４ｃとの間は、互いを繋いで大径の上側胴部４ｈ1を構成するとともに、底壁４ｂと段差４ｃとの間は、互いを繋いで小径の下側胴部４ｈ2を構成する。また、ベース部材４は、筒状部４ａから一体に垂下する筒状の脚部４ｄによって起立させることができる。
【００１６】
符号５は、回転部材である。回転部材５は、容器本体２の口筒部２ａとともにノズル部材３を通す開口部が形成された天壁５ａを有する。天壁５ａは、容器本体２の肩部２ｂを保持する。また、天壁５ａからは、噴射容器軸線Ｏ周りに間隔を置いて外筒壁５ｂとともに内筒壁５ｃが一体に垂下する。
【００１７】
外筒壁５ｂの下端部分は、ベース部材４の筒状部４ａを取り囲み、この筒状部４ａに摺動可能に保持されている。これにより、回転部材５は、ボトル軸線Ｏ周りに時計回り又は反時計回りに回転させることができる。
【００１８】
なお、外筒壁５ｂの下端部分の内側には、周方向に延在する環状の突起５ｅが設けられている。また、ベース部材４には、筒状部４ａの上端部の外側に、周方向に延在する環状の突起４ｅが設けられている。本形態では、突起５ｅを突起４ｅに係止させることで、回転部材５を抜け止め保持する。
【００１９】
符号６は、スリーブ部材である。スリーブ部材６は、回転部材５の外筒壁５ｂと内筒壁５ｃの間に配置されるスリーブ本体６ａを有する。スリーブ本体６ａの内側には、周方向に間隔を置いて複数の突条６ｐが設けられている。また、回転部材５には、内筒部５ｃの外側に、周方向に間隔を置いて複数の突条２ｐが設けられている。突条６ｐと突条２ｐとは互いにスプライン嵌合する。これにより、スリーブ部材６は、噴射容器軸線Ｏに沿って上下に移動することができるとともに、回転部材５に対して空回りすることなく、一体に回転することができる。
【００２０】
また、スリーブ本体６ａの下端部分には、容器本体２の下端部（底壁２ｄ）を保持する底壁６ｂが一体に設けられている。底壁６ｂは、容器本体２の底壁２ｄを通す開口部が形成されている。この開口部を形作る底壁縁部６ｅは、容器本体２の環状溝部２ｅに嵌合する。
【００２１】
符号７は、リターンスプリングに代表される弾性部材である。弾性部材７は、ベース部材４の凹部底壁４ｂとスリーブ部材６の底壁６ｂとの間に配置されている。弾性部材７は、同図に示すように、スリーブ部材６を回転部材５に向かって上方に付勢する。
【００２２】
符号８は、ボール部材である。ボール部材８は、噴射容器軸線Ｏを挟んで対向する二箇所の位置に配置されている。ボール部材８は、ベース部材４の筒状部４ａとスリーブ部材６との間を回転可能に保持する。
【００２３】
ベース部材４の筒状部４ａの内周面には、段部４ｓが設けられている。段部４ｓは、ボール部材８を回転可能に載せ置くことができる。また、スリーブ部材６は、図３（ａ）に示すように、スリーブ本体６ａの外周面に、噴射容器軸線Ｏ周りを周回する周溝６ｇが設けられている。周溝６ｇは、ボール部材８を回転可能に嵌め込むことができる。これにより、周溝６ｇは、ベース部材４の段部４ｓとともに、ボール部材８を起点としたスリーブ部材６の、噴射容器軸線Ｏ周りの回転を生起させる。
【００２４】
周溝６ｇは、傾斜溝６ｇ1と、この傾斜溝６ｇ1に通じる縦溝６ｇ2からなる。ボール部材８は、その高さ位置及び周方向位置がベース部材４の段部４ｓによって固定されているため、傾斜溝６ｇ1は、図４（ａ）から同図（ｂ）への変化として示すように、スリーブ部材６を弾性部材５の付勢力に抗して下降させるための溝として機能し、縦溝６ｇ2は、図４（ｂ）から同図（ａ）への変化として示すように、スリーブ部材６を弾性部材５の付勢力によって上昇させるための溝として機能する。なお、縦溝６ｇ2は、傾斜溝６ｇ1に置き換えることができる。
【００２５】
更に、スリーブ部材６は、図１に示すように、スリーブ本体６ａの上端が回転部材５の天壁５ａに接する位置を上死点とする一方、図２に示すように、その底壁６ｂがベース部材２の段差４ｃに接する位置を下死点とする。
【００２６】
本形態において、容器本体２は、その肩部２ｂから環状溝部２ｅまでの高さ（長さ）が、スリーブ部材６を下死点まで下降させたときの高さよりも高くなるように構成する。これにより、容器本体２を圧縮させた状態で回転部材５とスリーブ部材６との間に組み付けられる。このため、容器本体２の環状溝部２ｅがスリーブ部材６の底壁縁部６ｅに嵌合することで、容器本体２の下端部がスリーブ部材６に固定されるとともに、容器本体２の肩部２ｂは回転部材５の天壁５ａに押圧することで天壁５ａによって保持される。
【００２７】
なお、容器本体２は、スリーブ部材６に接着等の手段により固定することもできる。また、肩部２ｂは、容器本体２の下端部と同様、環状溝部を設け、天壁５ａの開口部を形作る縁部に嵌合させることができる。
【００２８】
従って、スリーブ部材６が噴射容器１を上方から見て、ベース部材４に対して回転部材５をボトル軸線Ｏ周りに右回り（時計回り）に回転させれば、図４（ａ）から同図（ｂ）への変化として示すように、スリーブ部材６が弾性部材７の付勢力に抗して傾斜溝６ｇ1に沿って下降するのに同期して、逆止弁Ｖ1が外気を導入することで容器本体２も伸長する。そして、更に縦溝６ｇ2の上端が同図に示すように、ボール部材８の位置に来るまで回転部材５を回転させれば、同図（ｂ）から同図（ａ）への変化として示すように、スリーブ部材６が弾性部材７の付勢力によって縦溝６ｇ2に沿って上昇するのに同期して、逆止弁Ｖ1が閉じることで内部空間Ｓ1の空気を圧縮しながら容器本体２も収縮する。これにより、図１から図２の変化を経て図１に示すように、容器本体２の伸長によって内部空間Ｓ1に吸引された空気を当該容器本体２の圧縮によってノズル部材３に送り出すことができる。
【００２９】
このように、ベース部材４に対して回転部材５を回転させることにより、スリーブ部材６がボール部材８を始点としてその周溝６ｇに沿って上下動するのに同期して容器本体２の内部空間Ｓ1に空気を吸引し、ノズル部材３に送り出す。このため、成分が気化する気化要素Ｅをノズル部材３又は容器本体２に収納しておけば、気化した成分は、容器本体２の伸縮によって送り出された空気とともにノズル部材３を通して噴射することができる。この場合、気化した成分をそのまま噴射することから、噴射に加えて、例えば、室内の気流に乗せることで、その成分を室内の広範囲に拡散させることができる。また、噴射された成分は気化していることから、内容物の自然落下によって周囲に付着することがない。
【００３０】
従って、本発明によれば、内容物を広範囲に噴射することができるとともに、自然落下によって周囲に付着することがない。また、空気の送り出しに、伸縮可能な容器本体２を用いたことから、大容量の噴射から小容量の噴射まで対応させることができる。
【００３１】
ところで、上述した形態のように、回転部材５の操作のみで、容器本体２の伸長・圧縮を可能にしつつ、その圧縮に伴い空気を送り出せるようにすることも可能である。しかしながら、この場合、ノズル部材３を通して外気が導入・排出されるため、その調整が煩雑である。
【００３２】
このため、ノズル部材には、容器本体２からの空気の送り出しを可能にしつつ、外気の取り入れを阻止する機能を含めることが好ましい。
【００３３】
図３（ｂ）は、本発明に従うノズル部材の他の形態である、開閉式のノズル部材３０（以下、「ノズル部材３０」）である。ノズル部材３０（以下、「ノズル部材３０」）は、ヘッド本体３１、ノズル３２、ノズルピン３３、スプリング３４、ジョイント３５、ヘッド本体３１に固定された支持壁３６、支持壁３６に揺動可能に支持されるとともにノズルピン３３を支持する揺動レバー３７及びステム３８からなる。
【００３４】
ノズル部材３０は、ステム３０を介してキャップＣに装着することで、ヘッド本体３１を上下動させることにより、容器本体２内の圧縮された空気を、注出口Ａを通して送り出すことができる。
【００３５】
また、ヘッド本体３１を押し下げることでジョイント３５に対して下降させると、揺動レバー３７がジョイント３５を作用点に支持壁３６を中心に後方に向かって傾倒することで、ヘッド本体３１の噴射口Ａは、ノズルピン３３がスプリング３４の付勢力に抗して後進することで開放される。
【００３６】
次いで、ヘッド本体３１の押し下げが解除されると、ノズルピン３３は、スプリング３４からの付勢力（復元力）によって噴射口Ａを封止するとともに、ヘッド本体３１を初期の位置に復帰させる。
【００３７】
これにより、ノズル部材３０は、容器本体２内の空気を送り出すときのみ開放できる。即ち、ノズル部材３０を用いれば、回転部材５を回転させたのち、ノズル部材３の押し込みに応じて、気化要素Ｅから気化した成分をノズル部材３の噴射口Ａを通して噴射させることができる。
【００３８】
なお、本形態では、気化要素Ｅを、例えば、ステム３８の通路内に配置することができる。この場合、気化要素Ｅは、出荷前の組み付け時に予め配置しておき、或いは、使用後にキャップＣから取り外すことで別途、新たに配置することもできる。また、予めステム３８内に配置したときは、含浸部材のみを配置することで、ステム３８から気化成分を含んだ液体を供給することができる。
【００３９】
また、本発明によれば、ノズル部材は、図５に示すように構成することもできる。同図のノズル部材４０は、キャップＣに対して、リターンスプリングに代表される弾性部材９の付勢力（復元力）によって押し込み可能に保持されている。キャップＣには、逆止弁１０が設けられている。逆止弁１０は、弁体１０ａを有し、この弁体１０ａが複数の連結片１０ｂを介してキャップＣに保持されている。
【００４０】
ノズル部材４０は、ノズル本体４１を有する。ノズル本体４１には凹部を形成し、この凹部の上端開口を蓋体４２で閉じることで、ノズル本体４１の内側に気化要素Ｅの収納空間Ｓ2を形成する。蓋体４２は、例えば、ヒンジ４３を介してノズル本体４１に一体に連結されている。
【００４１】
また、ノズル本体４１には、気化要素Ｅを載せ置く台座４４が隔壁部４５を介して一体に設けられている。隔壁部４５には、複数の貫通孔４５ａが形成されている。また、隔壁部４５には、シャフト４６が一体に垂下する。なお、符号４７は、蓋体４２に一体に設けられた、気化要素Ｅに接触して気化要素Ｅを保持する膨出部である。膨出部４７は、省略することができる。
【００４２】
蓋体４２を矢印の方向より押し込めば、ノズル部材４０が弾性部材９の付勢力に抗して下降することによってシャフト４６が逆止弁１０の弁体１０ａを押圧して、弁体１０ａを連結片１０ｂの張力に抗して開くことができる。これにより、回転部材５を回転させたのち、ノズル部材４０を押し下げれば、気化要素Ｅから気化した成分は、複数の貫通孔４５ａを通じて容器本体２から送り出された空気に乗って噴射口Ａを通して噴射させることができる。また、蓋体４２の押し込みを解除すれば、弾性部材９の復元力によって、ノズル部材４０が初期位置まで復帰するとともに、弁体１０ａが閉じられることで容器本体２内は密封される。
【００４３】
上述したところは、本発明の一形態を示したにすぎず、特許請求の範囲において、種々の変更を加えることができる。容器本体２としては、本形態のような蛇腹容器に限定されるものではなく、例えば、薄肉に形成された袋状の容器等を採用することができる。また、気化要素Ｅとしては、例えば、織物や不織物、多孔質材等に液体を浸み込ませた含浸材や、固体から直接気化する昇華物質が挙げられる。
【産業上の利用可能性】
【００４４】
本発明は、芳香剤の噴射容器に限定されることなく、例えば、消臭剤、防虫剤、経口薬又は点鼻薬等の薬剤の噴射容器に採用することができる。
【符号の説明】
【００４５】
１      噴射容器
２      容器本体
２ａ    口筒部
２ｂ    肩部
２ｃ    胴部
２ｄ    底部（下端部）
２ｅ    環状溝部
２ｐ    突条
３      ノズル部材
４      ベース部材
４ａ    筒状部
４ｂ    底部
４ｃ    段差
４ｄ    脚部
４ｓ    段部
５      回転部材
５ａ    天壁
５ｂ    外筒壁
５ｃ    内筒壁
６      スリーブ部材
６ａ    スリーブ本体
６ｂ    底壁
６ｐ    突条
７      弾性部材
８      ボール部材
９      弾性部材
１０    逆止弁
１０ａ  弁体
１０ｂ  連結片
３０    ノズル部材（開閉式）
３１    ヘッド
３２    ノズル
３３    ノズルピン
３４    スプリング
３５    ジョイント
３６    支持壁
３７    揺動レバー
３８    ステム
４０    ノズル部材
４１    ノズル本体
４２    蓋体
４３    ヒンジ
４５    隔壁部
４５ａ  貫通孔
４６    シャフト
４７    膨出部
Ｅ      気化要素
【図１】
0005726722.tif 000002
【図２】
0005726722.tif 000003
【図３】
0005726722.tif 000004
【図４】
0005726722.tif 000005
【図５】
0005726722.tif 000006